(57)【要約】【課題】薄型化及び軽量化を実現しつつ保持フレームの強度を強化する。【解決手段】導光板２６から補助表示用液晶パネル２２側へ向かう光は、半透過シート２９に到達して一部は半透過シート２９を透過し、保持フレーム２４の窓部２４ａを透過し、補助表示用液晶パネル２２を照明する。これによって、単一のバックライト装置２３によって、主表示用液晶パネル２１が照明されるとともに、半透過シート２９及び窓部２４ａを透過した光によって、同時に補助表示用液晶パネル２２も照明される。しかも、保持フレーム２４には、開口が設けられることなく、窓部２４ａと遮光部２４ｂとが一体化されてなっており、主表示用液晶パネル２１及び補助表示用液晶パネル２２の耐衝撃強度や耐圧強度が十分確保される。【選択図】　図２
2004118125.tif 000002
【特許請求の範囲】
【請求項１】
互いに背向する第１及び第２の面を有する保持基体と、該保持基体の前記第１の面側に配設された第１の液晶パネルと、前記保持基体の前記第２の面側に配設された第２の液晶パネルと、前記保持基体と前記第１の液晶パネルとの間に介挿され、前記第１及び前記第２の液晶パネルにそれぞれの裏面側から表示用照明光を与える照明装置とを備えた表示ユニットであって、
前記保持基体は、前記第２の液晶パネルの配設位置と概略重なる位置に形成された窓部領域が、前記照明装置から出射される表示用照明光を通す光透過性部材から構成されていることを特徴とする表示ユニット。
【請求項２】
前記窓部領域を取り巻く周辺部領域が、表示用照明光を遮光する遮光部材から構成されていることを特徴とする請求項１記載の表示ユニット。
【請求項３】
前記保持基体は、前記遮光部材からなる前記周辺部領域に形成され前記第２の液晶パネルの配設位置と概略重なる位置に形成された開口に、前記光透過性部材が充填されるようにして前記窓部領域が前記周辺部領域と一体的に形成されてなっていることを特徴とする請求項２記載の表示ユニット。
【請求項４】
前記窓部領域は、光透過性樹脂からなり、前記周辺部領域は、遮光性樹脂からなっていることを特徴とする請求項２又は３記載の表示ユニット。
【請求項５】
前記光透過性樹脂は、アクリル系樹脂であることを特徴とする請求項４記載の表示ユニット。
【請求項６】
前記照明装置は、光源と、前記光源から放射された光を受光して表示用照明光を前記第１及び第２の液晶パネルへ向けて出射する導光板と、前記導光板と前記保持基体との間に配設され、前記導光板から前記第２の液晶パネルへ向けて出射された光を受光し、一部を前記第１の液晶パネルへ向けて反射させ、一部を前記第２の液晶パネルへ向けて通す半透過部材とを有することを特徴とする請求項１乃至５のいずれか１に記載の表示ユニット。
【請求項７】
前記窓部領域は、その寸法及び形状が、前記第２の液晶パネルの寸法及び形状に概略対応するように形成されていることを特徴とする請求項１乃至６のいずれか１に記載の表示ユニット。
【請求項８】
互いに背向する第１及び第２の面を有する保持基体と、該保持基体の前記第１の面側に配設された第１の液晶パネルと、前記保持基体の前記第２の面側に配設された第２の液晶パネルと、前記保持基体と前記第１の液晶パネルとの間に介挿され、前記第１及び前記第２の液晶パネルにそれぞれの裏面側から表示用照明光を与える照明装置とを有する表示ユニットを備えた電子機器であって、
前記保持基体は、前記第２の液晶パネルの配設位置と概略重なる位置に形成された窓部領域が、前記照明装置から出射される表示用照明光を通す光透過性部材から構成されていることを特徴とする表示ユニットを備えた電子機器。
【請求項９】
前記窓部領域を取り巻く周辺部領域が、表示用照明光を遮光する遮光部材から構成されていることを特徴とする請求項８記載の表示ユニットを備えた電子機器。
【請求項１０】
前記保持基体は、前記遮光部材からなる前記周辺部領域に形成され前記第２の液晶パネルの配設位置と概略重なる位置に形成された開口に、前記光透過性部材が充填されるようにして前記窓部領域が前記周辺部領域と一体的に形成されてなっていることを特徴とする請求項９記載の表示ユニットを備えた電子機器。
【請求項１１】
前記窓部領域は、光透過性樹脂からなり、前記周辺部領域は、遮光性樹脂からなっていることを特徴とする請求項９又は１０記載の表示ユニットを備えた電子機器。
【請求項１２】
前記光透過性樹脂は、アクリル系樹脂であることを特徴とする請求項１１記載の表示ユニットを備えた電子機器。
【請求項１３】
前記照明装置は、光源と、前記光源から放射された光を受光して表示用照明光を前記第１及び第２の液晶パネルへ向けて出射する導光板と、前記導光板と前記保持基体との間に配設され、前記導光板から前記第２の液晶パネルへ向けて出射された光を受光し、一部を前記第１の液晶パネルへ向けて反射させ、一部を前記第２の液晶パネルへ向けて通す半透過部材とを有することを特徴とする請求項８乃至１２のいずれか１に記載の表示ユニットを備えた電子機器。
【請求項１４】
第１及び第２の筐体が折畳可能なようにヒンジ手段によって相互に結合されて構成される筐体を有し、
前記表示ユニットは、前記第１及び第２の筐体のうちいずれか一方に格納されていることを特徴とする請求項８乃至１３のいずれか１に記載の表示ユニットを備えた電子機器。
【請求項１５】
前記窓部領域は、その寸法及び形状が、前記第２の液晶パネルの寸法及び形状に概略対応するように形成されていることを特徴とする請求項８乃至１４のいずれか１に記載の表示ユニットを備えた電子機器。
【発明の詳細な説明】
【０００１】
【発明の属する技術分野】
この発明は、両面側に表示画面が設けられた表示ユニット及び該表示ユニットを備えた携帯電話機等の電子機器に関する。
【０００２】
【従来の技術】
携帯電話機においては、筐体の開閉が可能な折畳型のものが主流となってきている。このような携帯電話機は、不使用時には筐体を折り畳んで携帯し、使用時には筐体を閉状態から開状態として操作を行うようになされている。したがって、受信履歴や電子メールの着信状況等を確認する場合には、筐体を開状態として、表示画面を確認するようにしていた。
最近は、筐体を折り畳んだままでも、簡単な情報（例えば着信の有無等）ならば確認できるように、各種情報や待受画面等を表示する主表示用の液晶パネルのほかに、背面側（すなわち、折畳時に外部に露出される側）にも補助用に小型の液晶パネルが配設されて、着信通知等の表示が可能とされた機種も多い。
この種の携帯電話機は、上側ユニットと下側ユニットとが折畳可能なようにヒンジ部で相互に結合されて構成され、上側ユニットの筐体には、両面側に液晶パネルが配置された表示部が実装され、両液晶パネルに照明光を供給するために、照明装置としてのバックライト装置も２組配設されている。
【０００３】
すなわち、この表示部１０１は、図９に示すように、各種情報や待受画面等を表示する主表示用の液晶パネル１０２と、現在時刻や着信通知等の表示を行う補助表示用の液晶パネル１０３と、主表示用の液晶パネル１０２に照明光を与える主表示用のバックライト装置１０４と、補助表示用の液晶パネル１０３に照明光を与える補助表示用のバックライト装置１０５と、液晶パネル１０２、１０３及びバックライト装置１０４、１０５を保持する保持フレーム１０６とを有している。
バックライト装置１０４は、白色ＬＥＤ等からなる光源１０７と、光透過性材料からなる導光板１０８と、導光板１０８の主表示用の液晶パネル１０２の側に配置された拡散シート１０９と、拡散シート１０９の主表示用の液晶パネル１０２の側に配置されたプリズムシート１１０と、導光板１０８の保持フレーム１０６の側に配置された反射シート１１１とを有している。
【０００４】
保持フレーム１０６の正面側（折畳時に内側となる側）には、反射シート１１１、導光板１０８、拡散シート１０９、プリズムシート１１０が正面側に向けてこの順に積層され、反射シート１１１、導光板１０８、拡散シート１０９、プリズムシート１１０を保持フレーム１０６との間に挟んだ状態で枠状の両面粘着シート１１２を介して主表示用の液晶パネル１０２が固定されている。
バックライト装置１０４は、液晶パネル１０２へ裏面側から照明光を照射して、液晶パネル１０２を透過した光を、観察者に視認させる。
拡散シート１０９は、輝度のばらつきを補正し輝度均一性を向上させるために用いられる。また、プリズムシート１１０は、導光板１０８から液晶パネル１０２へ向けて出射した照明光を集光し所定の輝度を確保するために用いられる。また、反射シート１１１は、導光板１０８の裏面側に配置され、導光板１０８から出射された光を受光し、導光板１０８へ向けて反射させる。
【０００５】
バックライト装置１０５は、光源１１３と、導光板１１４と、導光板１１４の補助表示用の液晶パネル１０３の側に配置された拡散シート１１５と、導光板１１４の保持フレーム１０６の側に配置された反射シート１１６とを有している。
保持フレーム１０６の背面側には、反射シート１１６、導光板１１４、拡散シート１１５が背面側に向けてこの順に積層され、反射シート１１６、導光板１１４、拡散シート１１５を保持フレーム１０６との間に挟んだ状態で枠状の両面粘着シート１１７を介して補助表示用の液晶パネル１０３が固定されている。なお、図９において、符号１１８は、電子部品が搭載された配線基板を示す。
【０００６】
このように、この種の携帯電話機では、照明装置としてのバックライト装置も２組必要であり、バックライト装置を構成するＬＥＤ等の光源や、液晶パネルに均一に照明光を与えるための導光板等多くの部品を搭載する必要から、機器の厚さが厚くなってしまい、薄型化及び軽量化の要請に対応することができないという問題があった。
このために、単一のバックライト装置を両液晶パネルの照明のために共用して、薄型化及び軽量化を図る技術が提案されている。
【０００７】
この携帯電話機の表示部２０１は、図１０に示すように、主表示用の液晶パネル２０２と、補助表示用の液晶パネル２０３と、主表示用の液晶パネル２０２及び補助表示用の液晶パネル２０３に照明光を与えるバックライト装置２０４と、液晶パネル２０２、２０３及びバックライト装置２０４を保持する保持フレーム２０５とを有している。
【０００８】
バックライト装置２０４は、白色ＬＥＤ等からなる光源２０６と、光透過性材料からなる導光板２０７と、導光板２０７の主表示用の液晶パネル２０２の側に配置された拡散シート２０８と、拡散シート２０８の主表示用の液晶パネル２０２の側に配置されたプリズムシート２０９と、導光板２０７の補助表示用の液晶パネル２０３の側に配置された半透過シート２１０とを有している。
バックライト装置２０４は、液晶パネル２０２、液晶パネル２０３へそれぞれの裏面側から照明光を照射して、液晶パネル２０２、２０３を透過した光を、観察者に視認させる。
【０００９】
導光板２０７は、光源２０６から出射した光を受光して、反射又は透過させて一部を主表示用の液晶パネル２０２側へ、一部を補助表示用の液晶パネル２０３側へ面状の照明光として出射する。
拡散シート２０８は、導光板２０７の主表示用の液晶パネル２０２の側に配置され、輝度のばらつきを補正し輝度均一性を向上させるために用いられる。
プリズムシート２０９は、拡散シート２０８の液晶パネル２０２の側に配置され導光板２０７から液晶パネル２０２へ向けて出射した照明光を集光し所定の輝度を確保するために用いられる。
【００１０】
半透過シート２１０は、例えばポリエステルからなり、導光板２０７の液晶パネル２０３側に配置され、導光板２０７から液晶パネル２０３側に向けて出射された光を受光し、一部を液晶パネル２０２へ向けて反射させ、一部を液晶パネル２０３へ向けて透過させる。
保持フレーム２０５は、遮光部材（不透明部材）からなる樹脂成型品であり、中央部に補助表示用の液晶パネル２０３へ向けて照明光を通過させるための開口２０５ａが形成されている。
なお、保持フレーム２０５の正面側には、半透過シート２１０、導光板２０７、拡散シート２０８、プリズムシート２０９が正面側に向けてこの順に積層され、半透過シート２１０、導光板２０７、拡散シート２０８、プリズムシート２０９を保持フレーム２０５との間に挟んだ状態で枠状の両面粘着シート２１１を介して主表示用の液晶パネル２０２が固定されている。また、保持フレーム２０５の背面側には、枠状の両面粘着シート２１２を介して補助表示用の液晶パネル２０３が固定されている。
【００１１】
光源２０６から出射した光は、導光板２０７で反射して、又は導光板２０７を透過して、一部は主表示用の液晶パネル２０２の側へ、一部は補助表示用の液晶パネル２０３の側へ面状の照明光として導光板２０７から出射される。
導光板２０７から補助表示用の液晶パネル２０３側へ向かう光は、半透過シート２１０に到達し、一部は半透過シート２１０を透過し、保持フレーム２０５に到達し、開口２０５ａに到達した光は、開口２０５ａを通過し、補助表示用の液晶パネル２０３を照明する。
また、保持フレーム２０５の開口２０５ａの周囲のフレーム部２０５ｂに到達した光は、このフレーム部２０５ｂの正面側の面で反射して、半透過シート２１１０へ向かう。
【００１２】
導光板２０７から補助表示用の液晶パネル２０３の側へ向い、半透過シート２１０に到達した光のうち一部は、半透過シート２１０で反射し、再び主表示用の液晶パネル２０２の側へ向かい、導光板２０７を透過し、又は導光板２０７で反射する。
また、光源２０６から出射し、導光板２０７から主表示用の液晶パネル２０２の側へ向かう光は、拡散シート２０８及びプリズムシート２０９を通過し、主表示用の液晶パネル２０２に達し、主表示用の液晶パネル２０２を照明する。
このように、単一のバックライト装置２０４によって、主表示用の液晶パネル２０２が照明されるとともに、半透過シート２１０及び保持フレーム２０５の開口２０５ａを通過した光によって、同時に補助表示用の液晶パネル２０３も照明される。
【００１３】
なお、先行技術調査を実施した限りでは、上述した従来技術の内容が具体的に記載された文献に関する情報を得られなかった。
【００１４】
【発明が解決しようとする課題】
しかしながら、上記従来の携帯電話機では、保持フレーム２０５に補助表示用の液晶パネル２０３へ向けて照明光を通過させるための開口２０５ａが形成されているために、保持フレーム２０５自体の剛性が低下し、主表示用の液晶パネル２０２及び補助表示用の液晶パネル２０３の耐衝撃強度や耐圧強度が低下するという問題があった。
例えば、曲げ荷重がかかることによる保持フレーム２０５自体の変形（撓み等）や、落下時の衝撃等によって、主表示用の液晶パネル２０２及び補助表示用の液晶パネル２０３に割れ等のが破損が発生してしまうという問題があった。
また、保持フレーム２０５の開口２０５ａの縁部に補助表示用の液晶パネル２０３が当たって偏った圧力が加わることによって、補助表示用の液晶パネル２０３が破損するという問題があった。
【００１５】
この発明は、上述の事情に鑑みてなされたもので、薄型化及び軽量化を実現しつつ強度を高めて、耐久性及び信頼性を向上させることができる表示ユニット及び該表示ユニットを備えた電子機器を提供することを目的としている。
【００１６】
【課題を解決するための手段】
上記課題を解決するために、請求項１記載の発明は、互いに背向する第１及び第２の面を有する保持基体と、該保持基体の上記第１の面側に配設された第１の液晶パネルと、上記保持基体の上記第２の面側に配設された第２の液晶パネルと、上記保持基体と上記第１の液晶パネルとの間に介挿され、上記第１及び上記第２の液晶パネルにそれぞれの裏面側から表示用照明光を与える照明装置とを備えた表示ユニットに係り、上記保持基体は、上記第２の液晶パネルの配設位置と概略重なる位置に形成された窓部領域が、上記照明装置から出射される表示用照明光を通す光透過性部材から構成されていることを特徴としている。
【００１７】
また、請求項２記載の発明は、請求項１記載の表示ユニットに係り、上記窓部領域を取り巻く周辺部領域が、表示用照明光を遮光する遮光部材から構成されていることを特徴としている。
【００１８】
また、請求項３記載の発明は、請求項２記載の表示ユニットに係り、上記保持基体は、上記遮光部材からなる上記周辺部領域に形成され上記第２の液晶パネルの配設位置と概略重なる位置に形成された開口に、上記光透過性部材が充填されるようにして上記窓部領域が上記周辺部領域と一体的に形成されてなっていることを特徴としている。
【００１９】
また、請求項４記載の発明は、請求項２又は３記載の表示ユニットに係り、上記窓部領域は、光透過性樹脂からなり、上記周辺部領域は、遮光性樹脂からなっていることを特徴としている。
【００２０】
また、請求項５記載の発明は、請求項４記載の表示ユニットに係り、上記光透過性樹脂は、アクリル系樹脂であることを特徴としている。
【００２１】
また、請求項６記載の発明は、請求項１乃至５のいずれか１に記載の表示ユニットに係り、上記照明装置は、光源と、上記光源から放射された光を受光して表示用照明光を上記第１及び第２の液晶パネルへ向けて出射する導光板と、上記導光板と上記保持基体との間に配設され、上記導光板から上記第２の液晶パネルへ向けて出射された光を受光し、一部を上記第１の液晶パネルへ向けて反射させ、一部を上記第２の液晶パネルへ向けて通す半透過部材とを有することを特徴としている。
【００２２】
また、請求項７記載の発明は、請求項１乃至６のいずれか１に記載の表示ユニットに係り、上記窓部領域は、その寸法及び形状が、上記第２の液晶パネルの寸法及び形状に概略対応するように形成されていることを特徴としている。
【００２３】
また、請求項８記載の発明は、互いに背向する第１及び第２の面を有する保持基体と、該保持基体の上記第１の面側に配設された第１の液晶パネルと、上記保持基体の上記第２の面側に配設された第２の液晶パネルと、上記保持基体と上記第１の液晶パネルとの間に介挿され、上記第１及び上記第２の液晶パネルにそれぞれの裏面側から表示用照明光を与える照明装置とを有する表示ユニットを備えた電子機器に係り、上記保持基体は、上記第２の液晶パネルの配設位置と概略重なる位置に形成された窓部領域が、上記照明装置から出射される表示用照明光を通す光透過性部材から構成されていることを特徴としている。
【００２４】
また、請求項９記載の発明は、請求項８記載の表示ユニットを備えた電子機器に係り、上記窓部領域を取り巻く周辺部領域が、表示用照明光を遮光する遮光部材から構成されていることを特徴としている。
【００２５】
また、請求項１０記載の発明は、請求項９記載の表示ユニットを備えた電子機器に係り、上記保持基体は、上記遮光部材からなる上記周辺部領域に形成され上記第２の液晶パネルの配設位置と概略重なる位置に形成された開口に、上記光透過性部材が充填されるようにして上記窓部領域が上記周辺部領域と一体的に形成されてなっていることを特徴としている。
【００２６】
また、請求項１１記載の発明は、請求項９又は１０記載の表示ユニットを備えた電子機器に係り、上記窓部領域は、光透過性樹脂からなり、上記周辺部領域は、遮光性樹脂からなっていることを特徴としている。
【００２７】
また、請求項１２記載の発明は、請求項１１記載の表示ユニットを備えた電子機器に係り、上記光透過性樹脂は、アクリル系樹脂であることを特徴としている。
【００２８】
また、請求項１３記載の発明は、請求項８乃至１２のいずれか１に記載の表示ユニットを備えた電子機器に係り、上記照明装置は、光源と、上記光源から放射された光を受光して表示用照明光を上記第１及び第２の液晶パネルへ向けて出射する導光板と、上記導光板と上記保持基体との間に配設され、上記導光板から上記第２の液晶パネルへ向けて出射された光を受光し、一部を上記第１の液晶パネルへ向けて反射させ、一部を上記第２の液晶パネルへ向けて通す半透過部材とを有することを特徴としている。
【００２９】
また、請求項１４記載の発明は、請求項８乃至１３のいずれか１に記載の表示ユニットを備えた電子機器に係り、第１及び第２の筐体が折畳可能なようにヒンジ手段によって相互に結合されて構成される筐体を有し、上記表示ユニットは、上記第１及び第２の筐体のうちいずれか一方に格納されていることを特徴としている。
【００３０】
また、請求項１５記載の発明は、請求項８乃至１４のいずれか１に記載の表示ユニットを備えた電子機器に係り、上記窓部領域は、その寸法及び形状が、上記第２の液晶パネルの寸法及び形状に概略対応するように形成されていることを特徴としている。
【００３１】
【発明の実施の形態】
以下、図面を参照して、この発明の実施の形態について説明する。説明は、実施例を用いて具体的に行う。
◇第１実施例
図１は、この発明の第１実施例である折畳型の携帯電話機の構成を示す斜視図であって、同携帯電話機の筐体が開いた状態を正面側から見た図、図２及び図３は、同携帯電話機の表示部の実装構造を説明するための分解斜視図、図４は、同表示部の構成を模式的に示す断面図、図５は、同携帯電話機の構成を示すブロック図、図６は、同携帯電話機の構成を示す斜視図であって、同携帯電話機の筐体が開いた状態を背面側から見た図、また、図７は、同携帯電話機の構成を示す斜視図であって、同携帯電話機の筐体が閉じた状態を示す図である。
【００３２】
この例の携帯電話機（電子機器）１は、通話機能や例えばインターネットに接続してホームページの閲覧や電子メールの送受信が可能なデータ通信機能を有し、図１、図５、図６及び図７に示すように、上側ユニット２と下側ユニット３とが折畳可能なようにヒンジ部（ヒンジ手段）４で相互に結合されて構成されている。
上側ユニット２は、折畳可能な扁平な筐体５を構成する上側筐体（第１又は第２の筐体）６に、例えば、待受画面や機能設定画面等が表示される表示部（表示ユニット）７と、無線電波の送受信を行うアンテナ８と、着信を通知するためのＬＥＤからなる着信通知ランプ９と、受話音声を出力するスピーカ１１とが実装されてなっている。
【００３３】
また、下側ユニット３は、筐体５を構成する下側筐体（第２又は第１の筐体）１２に、例えば、当該携帯電話機本体の構成各部を制御する制御部１３と、制御部１３が実行する処理プログラムや、電話帳情報、着信履歴情報等の各種データ等を記憶するための記憶部１４と、所定のプロトコルに従って通話やデータ通信を行うために用いられる無線通信部１５と、各種操作キー等からなる操作部１６と、送話音声を入力するマイクロフォン１７と、バッテリパック等からなる電源部１８が実装されてなっている。
筐体５は、ヒンジ部４で相互に結合された上側筐体６と下側筐体１２とからなり、ヒンジ部４は、上側筐体６と下側筐体１２とを回動自在に結合して当該携帯電話機１に折畳可能な構造を付与している。
【００３４】
表示部７は、図２乃至図５に示すように、上側筐体６の折畳時に内側となる側に配設され、待受画面や機能設定画面等が表示される主表示用液晶パネル（第１の液晶パネル）２１と、上側筐体６の折畳時に外側となる側の中央部に配設され、例えば現在時刻や着信通知等の表示がなされる補助表示用液晶パネル（第２の液晶パネル）２２と、主表示用液晶パネル２１及び補助表示用液晶パネル２２に照明光を与えるバックライト装置（照明装置）２３と、主表示用液晶パネル２１、補助表示用液晶パネル２２及びバックライト装置２３を保持する保持フレーム（保持基体）２４とを有している。なお、図２及び図３において、符号２２ａは、駆動用ＩＣを示す。
【００３５】
主表示用液晶パネル２１は、例えばＴＦＴ（Ｔｈｉｎ　Ｆｉｌｍ　Ｔｒａｎｓｉｓｔｏｒ）方式の透過型の液晶表示パネルであり、ＴＦＴと透明画素電極とが多数形成されているＴＦＴ基板と、ＴＦＴ基板と数［μｍ］の間隙を介して対向して固定され、着色層（カラーフィルタ）が形成された対向基板と、上記間隙に封入された液晶層と、ＴＦＴ基板、対向基板の外側に配設された一対の偏向板とを有している。
補助表示用液晶パネル２２は、寸法が異なり着色層が省略されている以外は、主表示用液晶パネル２１と略同一構成の例えばＴＦＴ方式の透過型の液晶表示パネルである。
【００３６】
バックライト装置２３は、光源ユニット２５と、導光板２６と、導光板２６の主表示用液晶パネル２１側に配置された拡散シート２７と、拡散シート２７の主表示用液晶パネル２１側に配置されたプリズムシート２８と、導光板２６の補助表示用液晶パネル２２側に配置された半透過シート（半透過部材）２９とを有している。
バックライト装置２３は、主表示用液晶パネル２１及び補助表示用液晶パネル２２へそれぞれの裏面側から照明光を照射して、主表示用液晶パネル２１及び補助表示用液晶パネル２２を透過した光を、観察者に視認させる。
光源ユニット２５は、白色ＬＥＤ（発光ダイオード）等からなる点状光源３１、３１、…を有し、点状光源から放射された光が、光源ユニット２５と保持フレーム２４とによって形成される断面略コ字状のリフレクタによって反射して、導光板２６の側端面に向けて帯状の光が射出されるように構成されている。なお、光源ユニット２５は、ＦＰＣ（ｆｌｅｘｉｂｌｅ　ｐｒｉｎｔｅｄ　ｃｉｒｃｕｉｔ）３２を介して配線基板３５と電気的に接続されている。
【００３７】
導光板２６は、例えばアクリル系樹脂等の光透過性材料を用いた平板状の部材からなり、光源ユニット２５から出射した光を受光して、反射又は透過させて一部を主表示用液晶パネル２１側へ、一部を補助表示用液晶パネル２２側へ面状の照明光として出射する。
拡散シート２７は、導光板２６の主表示用液晶パネル２１側に配置され、輝度のばらつきを補正し輝度均一性を向上させるために用いられる。
プリズムシート２８は、拡散シート２７の主表示用液晶パネル２１側に配置され導光板２６から主表示用液晶パネル２１へ向けて出射した照明光を集光し所定の輝度を確保するために用いられる。
半透過シート２９は、例えばポリエステルからなり、導光板２６の補助表示用液晶パネル２２側に配置され、導光板２６から補助表示用液晶パネル２２側に向けて出射された光を受光し、一部を主表示用液晶パネル２１へ向けて反射させ、一部を補助表示用液晶パネル２２へ向けて透過させる。なお、この例では、透過率は略１２％に設定されている。
【００３８】
保持フレーム２４は、例えば２色成形技術によって製造された成型品であり、光を透過させる窓部（窓部領域）２４ａと、窓部２４ａの外側に形成された遮光部（周辺部領域）２４ｂとが一体化されてなっている。
ここで、窓部２４ａは、補助表示用液晶パネル２２が配置された位置に対応した保持フレーム２４の中央部に設けられ、また、補助表示用液晶パネル２２の寸法及び形状に対応させて略矩形状に形成されている。
また、窓部２４ａを構成する材料と遮光部２４ｂを構成する材料とは、互いに成型温度（軟化温度）が同程度の材料が選択され、両者の接合が確実になされるようにされている。
【００３９】
この例では、窓部２４ａは、アクリル系樹脂等の光透過性部材からなっており、遮光部２４ｂはポリカーボネート（ｐｏｌｙ−ｃａｒｂｏｎａｔｅ）等の遮光性部材からなっている。また、遮光部２４ｂは、所定の明度に設定され、例えば灰白色に着色されている。
特に保持フレーム２４の遮光部２４ｂの正面側の面が所定の明度に設定されることによって、導光板２６から補助表示用液晶パネル２２側に向けて出射され、半透過シート２９を透過してきた光の遮光部２４ｂの正面側の面における反射率が調整されて、主表示用液晶パネル２１の表示品質が保たれる。
例えば、主表示用液晶パネル２１の表示画面上の窓部２４ａに対応する中央部が比較的暗く表示されるような不具合が回避される。
【００４０】
補助表示用液晶パネル２２は、保持フレーム２４の背面側（上側筐体６の折畳時に外側となる側）に、窓部２４ａに重なるように取り付けられる。これによって、半透過シート２９を透過した光は、窓部２４ａを透過して補助表示用液晶パネル２２に達し、補助表示用液晶パネル２２を照明する。
この例の保持フレーム２４は、２色成形技術によって製造される。すなわち、２種類の原料に対してそれぞれ対応した射出ノズルが設けられた射出成型機を用い、それぞれの射出ノズルの先端に別々のキャビティが位置する型を用意する。
この射出成型機を用いて、キャビティ内に２種類の原料を順次噴射して、２種類の原料からなるプラスチックを成形する。
この例では、まず、遮光部２４ｂ成形用のポリカーボネートを射出し、次に、キャビティを回転させた後に、窓部２４ａ成形用のアクリル樹脂を射出して、保持フレーム２４を製造する。
【００４１】
保持フレーム２４の正面側（上側筐体６の折畳時に内側となる側）には、半透過シート２９、導光板２６、拡散シート２７、プリズムシート２８が正面側に向けてこの順に積層され、半透過シート２９、導光板２６、拡散シート２７、プリズムシート２８を保持フレーム２４との間に挟んだ状態で枠状の両面粘着シート３３を介して主表示用液晶パネル２１が固定されている。
また、保持フレーム２４の背面側（上側筐体１２の折畳時に外側となる側）には、枠状の両面粘着シート３４を介して補助表示用液晶パネル２２が固定されている。
【００４２】
また、保持フレーム２４の背面側には、ＦＰＣ（不図示）を介して下側ユニット３側の回路と電気的に接続される電子部品が搭載された配線基板３５が、開口３５ａから補助表示用液晶パネル２２が露出するように取り付けられる。
こうして、保持フレーム２４の正面側にバックライト装置２３及び主表示用液晶パネル２１が、保持フレーム２４の背面側に補助表示用液晶パネル２２及び配線基板３５が取り付けられ、さらに、これらが、フロントケース６ａとリアカバー６ｂとからなる上側筐体６内に格納されて上側ユニット２が構成されている。
【００４３】
制御部１３は、ＣＰＵ（中央処理装置）等からなり、例えば、所定の電話番号に対する発呼処理等を行うための通信制御プログラムや、表示部７を制御するための表示制御プログラム等の記憶部１４に記憶された各種処理プログラムを実行し、記憶部１４に確保された各種レジスタやフラグを用いて、構成各部を制御し、通信制御処理や表示制御処理等を行う。
記憶部１４には、ＲＯＭ、ＲＡＭ等の半導体メモリからなり、制御部１３が実行する通信制御処理プログラムや表示制御プログラム等の各種処理プログラムや、各機能の設定情報や通信履歴情報、電話帳情報等の各種情報が記憶されていると共に、制御部１３がプログラム実行時に用いる各種レジスタやフラグが確保されている。
【００４４】
無線通信部１５は、ＲＦ回路や、変復調回路、ベースバンド処理回路等からなり、音声やデータを変調してアンテナ８を介して無線電波として送信すると共に、無線電波をアンテナ８を介して受信して音声やデータに復調し、所定のプロトコルに従って通話やデータ通信を行うために用いられる。
操作部１６は、下側筐体１２の折畳時に内側となる面に、ブラウザを起動させてホームページを閲覧するためのブラウザモード選択キー、操作を決定するために用いられる決定キー、操作メニューを表示させるためのメニューキー、文字入力モードを切り換えるための入力モード切換キー、表示部７の主表示用液晶パネル２１に表示された表示画面上のカーソルを上下左右方向へ移動させるためのカーソルキー、電話帳を登録したり検索するための電話帳キー、音声通話を行うために用いる通話開始キー、操作を１つ前の状態へ戻すクリアキー、電源の入切りを行ったり各種操作を中止するために用いられる電源キー、数字等を入力するためのテンキー等が、配列されてなっている。
【００４５】
次に、図２乃至図４を参照して、この例の携帯電話機１の機能について説明する。
光源ユニット２５から出射した光は、図２乃至図４に示すように、導光板２６で反射して又は導光板２６を透過して、一部は主表示用液晶パネル２１側へ、一部は補助表示用液晶パネル２２側へ面状の照明光として導光板２６から出射される。
導光板２６から補助表示用液晶パネル２２側へ向かう光は、半透過シート２９に到達し、一部は半透過シート２９を透過し、保持フレーム２４に到達し、窓部２４ａに到達した光は、窓部２４ａを透過し、補助表示用液晶パネル２２を照明する。また、遮光部２４ｂに到達した光は、遮光部２４ｂで反射し、半透過シート２９へ向かう。
【００４６】
導光板２６から補助表示用液晶パネル２２側へ向い、半透過シート２９に到達した光のうち一部は、半透過シート２９で反射し、再び主表示用液晶パネル２１側へ向かい、導光板２６を透過し、又は導光板２６で反射する。
また、光源ユニット２５から出射し、導光板２６から主表示用液晶パネル２１側へ向かう光は、拡散シート２７及びプリズムシート２８を通過し、主表示用液晶パネル２１に達し、主表示用液晶パネル２１を照明する。
ここで、単一のバックライト装置２３によって、主表示用液晶パネル２１が照明されるとともに、半透過シート２９及び保持フレーム２４の窓部２４ａを透過した光によって、同時に補助表示用液晶パネル２２も照明される。
【００４７】
しかも、保持フレーム２４には、従来技術におけるように開口が設けられることなく、窓部２４ａが形成され、かつ、窓部２４ａと窓部２４ａの周囲の遮光部２４ｂとが、２色成形技術によって成型されて、一体化されてなっており、主表示用液晶パネル２１及び補助表示用液晶パネル２２の耐衝撃強度や耐圧強度が十分確保される。
これによって、従来技術におけるように例えば曲げ荷重がかかることによる保持フレーム自体の変形や、落下時の衝撃等によって、主表示用液晶パネル２１及び補助表示用液晶パネル２２に割れ等の破損が生じることが回避される。
また、従来技術におけるように開口の縁部に補助表示用液晶パネル２２が当たって偏った圧力が加わることによって、補助表示用液晶パネル２２が破損したりすることが回避される。
【００４８】
このように、この例の構成によれば、単一のバックライト装置２３によって、主表示用液晶パネル２１を照明し、かつ、半透過シート２９及び保持フレーム２４の窓部２４ａを透過した光によって、同時に補助表示用液晶パネル２２を照明することができるので、薄型化及び軽量化を実現しつつ筐体５の両面側に液晶パネルを配置して表示を行わせることができる。
しかも、保持フレーム２４には、従来技術におけるように開口が設けられることなく、透明樹脂からなる窓部２４ａが形成され、かつ、窓部２４ａと窓部２４ａの周囲の遮光部２４ｂとが、２色成形技術によって成型されて、一体化されてなり、保持フレーム２４自体の剛性が高められているので、主表示用液晶パネル２１及び補助表示用液晶パネル２２の耐衝撃強度や耐圧強度を向上させることができる。
【００４９】
すなわち、従来技術におけるように例えば曲げ荷重がかかることによる保持フレーム２４自体の変形（撓み等）や、落下時の衝撃等によって、主表示用液晶パネル２１及び補助表示用液晶パネル２２に割れ等の破損が発生することが回避される。
また、従来技術におけるように開口の縁部に補助表示用液晶パネル２２が当たって偏った圧力が加わることによって、補助表示用液晶パネル２２が破損したりするようなことが回避される。
したっがって、薄型化及び軽量化を達成しつつ、耐久性及び信頼性を向上させることができる。
また、補助表示用液晶パネル２２の表示面積を、必要に応じて比較的大きくすることが可能となる。
【００５０】
◇第２実施例
図８は、この発明の第２実施例である携帯電話機の表示部の構成を模式的に示す断面図である。
この例が上述した第１実施例と大きく異なるところは、図８に示すように、表示部７Ａにおいて保持フレーム２４と半透過シート２９Ａとの間にもプリズムシート４１を配置した点である。
これ以外の構成は、上述した第１実施例と略同一であるので、その説明を簡略にする。
【００５１】
表示部７Ａは、図８に示すように、主表示用液晶パネル２１と、補助表示用液晶パネル２２Ａと、主表示用液晶パネル２１及び補助表示用液晶パネル２２Ａに照明光を与えるバックライト装置（照明装置）２３Ａと、保持フレーム（保持基体）２４とを有している。
この例では、主表示用液晶パネル２１及び補助表示用液晶パネル２２Ａは、共に、例えばＴＦＴ方式の透過型の液晶表示パネルであり、ＴＦＴと透明画素電極とが多数形成されているＴＦＴ基板と、ＴＦＴ基板と数［μｍ］の間隙を介して対向して固定され、着色層が形成された対向基板と、上記間隙に封入された液晶層と、ＴＦＴ基板、対向基板の外側に配設された一対の偏向板とを有している。
【００５２】
バックライト装置２３Ａは、光源ユニット２５と、導光板２６と、導光板２６の主表示用液晶パネル２１側に配置された拡散シート２７と、拡散シート２７の主表示用液晶パネル２１側に配置されたプリズムシート２８と、導光板２６の補助表示用液晶パネル２２Ａ側に配置された半透過シート２９Ａと、半透過シート２９Ａと保持フレーム２４との間に配置されたプリズムシート４１とを有している。
バックライト装置２３Ａは、主表示用液晶パネル２１及び補助表示用液晶パネル２２Ａへそれぞれの裏面側から照明光を照射して、主表示用液晶パネル２１及び補助表示用液晶パネル２２Ａを透過した光を、観察者に視認させる。
プリズムシート２８、４１は、導光板２６から、それぞれ、主表示用液晶パネル２１、補助表示用液晶パネル２２Ａへ向けて出射した照明光を集光し所定の輝度を確保するために用いられる。
また、この例では、半透過シート２９Ａの透過率は略２０％に設定されている。
【００５３】
この例の構成によれば、第１実施例で述べたのと略同一の効果を得ることができる。
加えて、表示部７Ａにおいて保持フレーム２４と半透過シート２９Ａとの間にもプリズムシート４１を配置したので、輝度を向上させて、補助表示用液晶パネル２２Ａのカラー表示に対応することができる。
【００５４】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、電子機器として、携帯電話機を用いる場合について述べたが、携帯電話機に限らず、例えば、簡易型携帯電話（ＰＨＳ）端末でも、携帯情報端末（ＰＤＡ）でも、さらにテレビ電話機でも良く、携帯電話機の場合と略同一の効果を得ることができる。
【００５５】
また、携帯電話機の場合は、必ずしも折畳可能な携帯電話機でなくとも良い。例えば、撮影レンズが固定されたカメラ付き携帯電話機において、背面側に自分撮影時の構図確認用に液晶パネルが配置された場合に適用することができる。
また、正面側ユニットと裏面側ユニットとが長軸方向に沿ってスライド自在に連結され、例えば正面側ユニットの両面側に表示用の液晶パネルが配置された構成のスライド式の携帯電話機に適用しても良い。
さらに、特に薄型化及び軽量化が要請される携帯端末に適用して好適であるが、この発明の表示ユニットとしての表示部を搭載する電子機器としては、必ずしも携帯端末に限らず、一般の表示装置付きの電子機器であっても良い。なお、一般に、両面表示が可能な表示装置においては、例えば、主たる表示を行う液晶パネルが配設された側を正面側、従たる表示を行う液晶パネルが配設された側を背面側とする。
【００５６】
また、上述した実施例では、保持フレーム２４において、窓部２４ａを中央部に１箇所設ける場合について述べたが、１箇所に限らず、複数箇所に設けるようにしても良い。
また、上述した実施例では、保持フレーム２４を２色成形技術によって成型する場合について述べたが、これに限らず、透明な窓部と、中央部に開口が形成された遮光部とを別々に成型し、熱溶着や超音波溶着等によって窓部と遮光部とを接合するようにしても良いし、遮光部の開口箇所に窓部を機械的に嵌着するようにしても良い。
また、保持フレーム２４の窓部２４ａを構成する光透過性材料としては、アクリル系樹脂に限らず、透明なポリカーボネートであっても良い。また、窓部２４ａは着色されていても良い。
また、遮光部２４ｂを構成する遮光性材料についても、例えば、ＡＢＳ（ａｃｒｙｌｎｉｔｒｉｌｅ−ｂｕｔａｄｉｅｎｅ−ｓｔｙｒｅｎｅ）等を用いるようにしても良い。また、窓部２４ａと遮光部２４ｂとの接合強さについても、保持フレーム２４としての所定の剛性が確保されれば足りる。
【００５７】
また、半透過シート２９を構成する材料としては、ポリエステルに限らず、例えば、ポリカーボネート等を用いても良い。
また、点状光源３１として、白色ＬＥＤを用いる場合について述べたが、白色とは限らず、他の色（例えば赤色）の光を発光するＬＥＤを用いても良い。また、点状光源３１の個数や配置位置等についても特に限定されず、例えば導光板の互いに対向する両側に配置するようにしても良い。また、光源は、ＬＥＤに限定されるものではなく、他の発光する光源であっても良い。また、点状光源に限らず線状光源であっても良い。
また、液晶に電圧を印加する方式が、対向基板とＴＦＴ基板との間で電圧を印加する縦方向電界型の液晶パネルにも、ＴＦＴ基板側に両電極を設ける横方向電界型の液晶パネルにも、適用することができる。
また、液晶パネルに着色層を設ける場合、この着色層は対向基板に形成されていれも、ＴＦＴ基板側に形成されていても良い。
また、ＴＦＴとしては、多結晶シリコンを用いたものでも良いし、液晶表示素子としては、ＴＮ（Ｔｗｉｓｔｅｄ　Ｎｅｍａｔｉｃ）型液晶表示素子であってもＳＴＮ（ＳｕｐｅｒＴｗｉｓｔｅｄ　Ｎｅｍａｔｉｃ）型液晶表示素子であっても良い。
【００５８】
【発明の効果】
以上説明したように、この発明によれば、単一の照明装置によって、第１の液晶パネルを照明し、かつ、保持基体の窓部領域を透過した光によって、同時に第２の液晶パネルを照明することができるので、薄型化及び軽量化を実現しつつ筐体の両面側に液晶パネルを配置して表示を行わせることができる。
しかも、保持基体には、従来技術におけるように開口が設けられることなく、窓部領域が形成され、保持基体自体の剛性が高められているので、第１及び第２の液晶パネルの耐衝撃強度や耐圧強度を向上させることができる。
【００５９】
すなわち、従来技術におけるように例えば曲げ荷重がかかることによる保持基体自体の変形（撓み等）や、落下時の衝撃等によって、第１及び第２の液晶パネルに割れ等の破損が発生することが回避される。
また、従来技術におけるように開口の縁部に第２の液晶パネルが当たって偏った圧力が加わることによって、第２の液晶パネルが破損したりするようなことが回避される。
したがって、薄型化及び軽量化を達成しつつ、耐久性及び信頼性を向上させることができる。
また、第２の液晶パネルの表示面積を、必要に応じて比較的大きくすることが可能となる。
また、窓部領域と周辺部領域とが、例えば２色成形技術によって成型され、一体化されることによって、一段と強度を強化させることができる。
【図面の簡単な説明】
【図１】この発明の第１実施例である折畳型の携帯電話機の構成を示す斜視図であって、同携帯電話機の筐体が開いた状態を正面側から見た図である。
【図２】同携帯電話機の表示部の実装構造を説明するための分解斜視図である。
【図３】同携帯電話機の表示部の実装構造を説明するための分解斜視図である。
【図４】同表示部の構成を模式的に示す断面図である。
【図５】同携帯電話機の構成を示すブロック図である。
【図６】同携帯電話機の構成を示す斜視図であって、同携帯電話機の筐体が開いた状態を背面側から見た図である。
【図７】同携帯電話機の構成を示す斜視図であって、同携帯電話機の筐体が閉じた状態を示す図である。
【図８】この発明の第２実施例である携帯電話機の表示部の構成を模式的に示す断面図である。
【図９】従来技術を説明するための説明図である。
【図１０】従来技術を説明するための説明図である。
【符号の説明】
１　　　携帯電話機（電子機器）
２　　　上側ユニット
３　　　下側ユニット
４　　　ヒンジ部（ヒンジ手段）
５　　　筐体
６　　　上側筐体
７、７Ａ　　　表示部（表示ユニット）
１２　　　下側筐体
２１　　　主表示用液晶パネル（第１の液晶パネル）
２２　　　補助表示用液晶パネル（第２の液晶パネル）
２３、２３Ａ　　　バックライト装置（照明装置）
２４　　　保持フレーム（保持基体）
２４ａ　　　窓部（窓部領域）
２４ｂ　　　遮光部（周辺部領域）
２５　　　光源ユニット
２６　　　導光板
２７　　　拡散シート
２８　　　プリズムシート
２９　　　半透過シート（半透過部材）
３１　　　点状光源
【図１】
2004118125.tif 000003
【図２】
2004118125.tif 000004
【図３】
2004118125.tif 000005
【図４】
2004118125.tif 000006
【図５】
2004118125.tif 000007
【図６】
2004118125.tif 000008
【図７】
2004118125.tif 000009
【図８】
2004118125.tif 000010
【図９】
2004118125.tif 000011
【図１０】
2004118125.tif 000012